(57)【特許請求の範囲】
【請求項１】
断熱層と防水シートとからなる防水層が、固定具で、躯体の表面に固定されている防水構造体であって、
該躯体と、該断熱層と、該防水シートと、該固定具と、を有し、
該固定具は、該断熱層を貫通し該躯体に捻じ込み固定されている固定ビスと、該固定ビスが挿通される固定板と、からなり、
該固定板の防水シート側の面は、該防水シートに接合されており、
該断熱層に、該固定板の外周形状と対応する形状であり、該固定板を嵌め込む固定板嵌め込み孔を設け、該固定板嵌め込み孔に該固定板を嵌め込むことにより、該固定板が該断熱層上で横揺れするのを防止する横揺れ防止措置が施されていること、
を特徴とする防水構造体。
【発明の詳細な説明】
【技術分野】
【０００１】
本発明は、躯体の表面に断熱層と防水シートからなる防水層が敷設されている防水構造体及び該防水構造体に用いられる防水層を躯体の表面に固定するための固定具に関するものである。
【背景技術】
【０００２】
工場の屋根上やビルの屋上等には、防水のために、断熱層と防水シートからなる防水層が敷設されていることが多い。図２０には、折れ板状の金属板の屋根に防水層が敷設されている防水構造体の一例を示す。以下、工場、ビル、学校の校舎等の事業用の建造物やマンション等の住居用の建造物の屋根、ベランダ、バルコニー等の防水層が敷設されている対象を躯体と総称する。図２０に示す防水構造体は、躯体２１上に、断熱層２２と断熱層２２を覆う防水シート２３からなる防水層２４が敷設されている。なお、図２０では、躯体２１の全体形状が分かり易いように、防水層２４を二点鎖線で示す部分で切り取った防水層２４の一部のみを図示しているが、実際は、防水層２４は、躯体２１の表面全体に敷設されている。
【０００３】
このような防水構造体では、図２１〜図２３に示すように、平面形状が円形のビス頭４３と、側面にネジ山が形成されている軸４２と、先端部４４で構成されている固定ビス４１を、挿通孔４６の内周面に平面形状が円形の座繰り部４７が形成されている固定板４５の挿通孔４６に挿通させた固定具５１を用いて、防水層が固定されている。断熱層２２は、固定ビス４１を断熱層２２に捻じ込み貫通させ、更に、躯体２１に捻じ込むことより、躯体２１に固定されており、また、防水シート２３は、固定板４５の防水シート側の面５２に防水シート２３を接着させることにより、躯体２１に固定されている。
【０００４】
この従来の防水構造体には、強風に曝されることにより、躯体に捻じ込んだ固定ビスが抜けてしまうという問題があった。
【０００５】
このような固定ビスの緩みを防ぐ方法としては、例えば、特許文献１には、建屋の梁上に設置された金属製屋根下地材の上に断熱材又は緩衝材を敷設し、該断熱材又は緩衝材を上記金属製屋根下地材に固定用ビスで機械的に固定し、更に上記断熱材又は緩衝材の上面には防水シートを敷設し当該防水シートを、上記固定用ビスにより上記断熱材又は緩衝材の上面に固定された固定ディスクで固着して構成される金属下地屋根構造において、前記金属製屋根下地材における前記固定用ビスが捻じ込まれる部分の上面に金属補強板を設置せしめ、前記固定用ビスを前記断熱材又は緩衝材を貫通して前記金属補強板と金属製屋根下地材の両者に捻じ込み固定させることを特徴とした金属下地屋根構造が開示されている。
【先行技術文献】
【特許文献】
【０００６】
【特許文献１】特開２００６−２３３５５６号公報
【発明の概要】
【発明が解決しようとする課題】
【０００７】
しかし、特許文献１のように、金属補強板を設置してもなお、強風に曝されることにより、躯体に捻じ込んだ固定ビスが抜けてしまう場合があった。
【０００８】
そこで、本発明の目的は、強風に曝されても、躯体に捻じ込んだ固定ビスが抜け難い防水構造体を提供することにある。
【課題を解決するための手段】
【０００９】
本発明者らが、鋭意研究を重ねたところ、固定ビス４１の抜けには、防水構造体が強風に曝されたときに生じる、防水シート２３の横揺れが関与していることを見出した。
【００１０】
図２４に示すように、防水シート２３が横揺れすると、防水シート２３に接着されている固定板４５が、断熱層２２上で横揺れすることになる。図２４（Ａ）は、固定板４５が横揺れする前の図であり、図２４（Ｂ）及び（Ｃ）は、固定板４５が横揺れしている様子を示す図であり、図中、点線で示す位置まで固定板４５が移動していることを示す。
【００１１】
固定板４５の横揺れによる力は、固定ビス４１のビス頭４３に加わることになるが、躯体２１と固定板４５との間に、断熱層２２があるために、固定板４５の横揺れによる力が、固定ビス４１に加わる点（図２３中、符号５３）と、固定ビス４１が躯体２１に固定されている点（図２３中、符号５４）とが、断熱層２２の厚みの分だけ離れている。そのため、符号５４で示す点を支点として、固定ビス４１が揺れるため、躯体２１及び断熱層２２には、固定ビス４１により、ネジ穴を広げる大きな力が加えられることになる。
【００１２】
そして、固定ビス４１の揺れにより広げられたネジ穴の大きさが大きくなると、固定ビス４１は、躯体２１及び断熱層２２から抜けてしまう。
【００１３】
本発明者らは、このような知見に基づき、固定板の横揺れを防止する措置を施すことにより、強風に曝されて防水シートが横揺れしても、固定板が横揺れしないので、防水シートの横揺れに起因する固定ビスの抜けを防止することができることを見出し、本発明を完成させた。
【００１４】
すなわち、本発明（１）は、断熱層と防水シートとからなる防水層が、固定具で、躯体の表面に固定されている防水構造体であって、
該躯体と、該断熱層と、該防水シートと、該固定具と、を有し、
該固定具は、該断熱層を貫通し該躯体に捻じ込み固定されている固定ビスと、該固定ビスが挿通される固定板と、からなり、
該固定板の防水シート側の面は、該防水シートに接合されており、
該固定板が該断熱層上で横揺れするのを防止する横揺れ防止措置が施されていること、
を特徴とする防水構造体を提供するものである。
【００１５】
また、本発明（２）は、前記固定板の断熱層側に食い込み部を設け、前記断熱層に該食い込み部を食い込ませることにより、前記横揺れ防止措置が施されていることを特徴とする（１）の防水構造体を提供するものである。
【００１６】
また、本発明（３）は、前記固定板の断熱層側の面と前記断熱層とを接着することにより、前記横揺れ防止措置が施されていることを特徴とする（１）の防水構造体を提供するものである。
【００１７】
また、本発明（４）は、前記固定板の断熱層側の面と前記断熱層との摩擦力を高めることにより、前記横揺れ防止措置が施されていることを特徴とする（１）の防水構造体を提供するものである。
【００１８】
また、本発明（５）は、前記固定板の形状と対応する形状であり、前記固定板を嵌め込む固定板嵌め込み孔を設け、該固定板嵌め込み孔に前記固定板を嵌め込むことにより、前記横揺れ防止措置が施されていることを特徴とする（１）の防水構造体を提供するものである。
【００１９】
また、本発明（６）は、固定ビスと、該固定ビスが挿通される固定板と、からなり、
該固定板の断熱層側の面に、断熱層に食い込む食い込み部が設けられていることを特徴とする（２）の防水構造体用の固定具を提供するものである。
【発明の効果】
【００２０】
本発明によれば、強風に曝されても、躯体に捻じ込んだ固定ビスが抜け難い防水構造体を提供することができる。
【図面の簡単な説明】
【００２１】
【図１】本発明の防水構造体の形態例を示す端面図である。
【図２】図１中の固定ビスを示す図である。
【図３】図１中の固定板を示す図である。
【図４】本発明の防水構造体を構築する方法を示す模式的な端面図である。
【図５】本発明の防水構造体を構築する方法を示す模式的な端面図である。
【図６】本発明の防水構造体を構築する方法を示す模式的な端面図である。
【図７】本発明の防水構造体を構築する方法を示す模式的な端面図である。
【図８】本発明の防水構造体を構築する方法を示す模式的な端面図である。
【図９】本発明の防水構造体に係る固定板の形態例を示す模式図である。
【図１０】本発明の防水構造体に係る固定板の形態例を示す模式図である。
【図１１】本発明の防水構造体に係る固定板の形態例を示す模式図である。
【図１２】本発明の防水構造体に係る固定板の形態例を示す模式図である。
【図１３】図１２の固定板を下側から見た図である。
【図１４】本発明の防水構造体に係る固定板の形態例を示す模式図である。
【図１５】本発明の防水構造体を構築する方法を示す模式的な端面図である。
【図１６】本発明の防水構造体に係る横揺れ防止措置を施す手段の形態例を示す模式的な端面図である。
【図１７】本発明の防水構造体に係る固定板の形態例を示す模式図である。
【図１８】本発明の防水構造体に係る横揺れ防止措置を施す手段の形態例を示す模式的な端面図である。
【図１９】本発明の防水構造体に係る固定板の形態例を示す模式図である。
【図２０】防水構造体の一例である。
【図２１】従来の防水構造体に係る固定ビスを示す模式図である。
【図２２】従来の防水構造体に係る固定板を示す模式図である。
【図２３】従来の防水構造体を示す端面図である。
【図２４】従来の防水構造体において、固定板が横揺れする様子を示す図である。
【発明を実施するための形態】
【００２２】
本発明の防水構造体は、断熱層と防水シートとからなる防水層が、固定具で、躯体の表面に固定されている防水構造体であって、
該躯体と、該断熱層と、該防水シートと、該固定具と、を有し、
該固定具は、該断熱層を貫通し該躯体に捻じ込み固定されている固定ビスと、該固定ビスが挿通される固定板と、からなり、
該固定板の防水シート側の面は、該防水シートに接合されており、
該固定板が該断熱層上で横揺れするのを防止する横揺れ防止措置が施されていること、
を特徴とする防水構造体である。
【００２３】
本発明の防水構造体及び本発明の防水構造体用の固定具について、図１〜図１９を参照して説明する。図１は、本発明の防水構造体の形態例の模式的な端面図である。図２は、図１中の固定ビスを示す図であり、図２（Ａ）は、図１中の固定ビスを平面視した図であり、図２（Ｂ）は、図１中の固定ビスを図２（Ａ）のｘ方向から側面視した図であり、図２（Ｃ）は、図１中の固定ビスを図２（Ａ）のｙ方向から側面視した図である。図３は、図１中の固定板を示す図であり、図３（Ａ）は、図１中の固定板を平面視した図であり、図３（Ｂ）は、図１中の固定板を図３（Ａ）のｘ−ｘ線で切った端面図であり、図３（Ｃ）は、図１中の固定板を図３（Ａ）のｙ−ｙ線で切った端面図であり、図３（Ｄ）は、図１中の固定板を下側から見た図であり、図３（Ｅ）は、図１中の固定板を横側から見た図である。図４〜図８は、本発明の防水構造体を構築する方法を示す模式的な端面図である。図９、図１０、図１１、図１２、図１４及び図１７は、固定板の形態例を示す図であり、図９、図１０、図１１、図１２、図１４及び図１７の（Ａ）は、固定板を平面視した図であり、図９、図１０、図１１、図１２、図１４及び図１７の（Ｂ）は、固定板を（Ａ）のｘ−ｘ線で切った端面図であり、図９、図１０、図１１、図１２、図１４及び図１７の（Ｃ）は、固定板を（Ａ）のｙ−ｙ線で切った端面図であり、図９、図１０、図１１、図１２、図１４及び図１７の（Ｄ）は、固定板を下側から見た図であり、図９、図１０、図１１、図１２、図１４及び図１７の（Ｅ）は、固定板を横側から見た図である。図１３は、図１２に示す固定板を下側から見た拡大図である。図１５は、本発明の防水構造体を構築する方法を示す模式的な端面図である。図１６及び図１８は、本発明の防水構造体に係る横揺れ防止措置を施す手段の形態例を示す模式的な端面図である。図１９は、本発明の防水構造体に係る固定板の形態例を示す図であり、断熱層に食い込み部が食い込んでいる様子を示す断面図である。なお、図１、図６、図７、図８、図１５、図１６、図１８及び図１９では、説明の都合上、固定ビスを、側面図で示している。
【００２４】
図１中、防水構造体１０は、躯体２１と、躯体２１の表面に敷設されており、躯体２１の表面を覆う断熱層２２及び断熱層２２を覆う防水シート２３とからなる防水層２４と、防水層２４を固定するための固定具１１ａと、を有する。
【００２５】
固定具１１ａは、固定ビス１と、固定板５ａとからなる。
【００２６】
固定ビス１は、図２に示すように、平面形状が円形のビス頭３と、側面にネジ山が形成されている軸２と、先端部４で、構成されている。
【００２７】
固定板５ａは、図３に示すように、固定ビス１の挿通孔６ａを有している。この挿通孔６ａの内周面には、固定ビス１のビス頭３が嵌合する座繰り部７ａが形成されている。座繰り部７ａの平面形状は、円形であり、座繰り部７ａの形状は、ビス頭３の形状に対応する形状である。また、固定板５ａの断熱層２２側には、断熱層２２に食い込むことにより、固定板５ａの横揺れを防止する食い込み部８ａが設けられている。固定板５ａでは、下側から見たときの形状が円形である板状の食い込み部８ａが、断熱層２２の上面（図３（Ｂ）中、符号１５で示す点線の位置）から、断熱層２２の内部に入り込むように、断熱層側に設けられている。本発明において、固定ビスのビス頭の形状に対応する形状とは、鋳物とその鋳物を鋳造するための鋳型のようにビス頭に対応する形状を指す。
【００２８】
そして、固定板５ａの食い込み部８ａが、断熱層２２に食い込むように、固定板５ａが、断熱層２２上に配置され、固定板５ａの挿通孔６ａを、固定ビス１が挿通し、断熱層２２を貫通し、躯体２１に捻じり込まれることにより、躯体２１に断熱層２２が固定されている。このとき、固定ビス１のビス頭３は、固定板５ａの座繰り部７ａに嵌合した状態で、躯体２１に捻じ込み固定されている。
【００２９】
また、固定板５ａは、断熱層２２と防水シート２３の間に配置されている。そして、固定板５ａの防水シート２３側の面１２は、防水シート２３に接合されている。
【００３０】
このような防水構造体１０は、例えば、図４〜図８に示す方法により構築される。
【００３１】
図４に示すように、先ず、躯体２１の表面に、断熱層２２を載置する。
【００３２】
次いで、図５に示すように、断熱層２２上の固定板５ａの設置箇所に、固定板５ａの食い込み部８ａを食い込ませて、固定板５ａを設置する。
【００３３】
次いで、図６及び図７に示すように、固定板５ａの挿通孔６ａより、固定ビス１を断熱層２２に捻じ込み、断熱層２２を貫通させ、更に、躯体２１に捻じ込む。そして、固定ビス１を、断熱層２２に貫通させ、躯体２１に捻じ込むことにより、断熱層２２が、固定具１１ａにより、躯体２２に固定される。
【００３４】
次いで、図８に示すように、断熱層２２及び固定具１１ａを覆うように、防水シート２３を載置する。
【００３５】
次いで、固定板５ａの防水シート側の面１２と防水シート２３とを接合させることにより、図１に示す防水構造体１０を構築する。
【００３６】
防水構造体１０の固定具１１ａでは、図１に示すように、固定板５ａの食い込み部８ａが、断熱層２２に食い込んでいるので、固定板５ａが、断熱層２２上で横揺れするのが防止される。そのため、防水構造体１０では、防水構造体１０が強風に曝されても、固定板５ａの横揺れに起因する固定ビス１の抜けが起こり難い。
【００３７】
すなわち、本発明の防水構造体は、断熱層と防水シートとからなる防水層が、固定具で、躯体の表面に固定されている防水構造体であって、
該躯体と、該断熱層と、該防水シートと、該固定具と、を有し、
該固定具は、該断熱層を貫通し該躯体に捻じ込み固定されている固定ビスと、該固定ビスが挿通される固定板と、からなり、
該固定板の防水シート側の面は、該防水シートに接合されており、
該固定板が該断熱層上で横揺れするのを防止する横揺れ防止措置が施されていること、
を特徴とする防水構造体である。
【００３８】
躯体は、断熱層と防水シートからなる防水層が敷設されている対象である。図１に示す形態例では、防水層が敷設されている躯体の材質は、金属板であるが、これに限定されるものではなく、躯体の材質としては、金属板、コンクリート、軽量コンクリート、パネル材、木材等が挙げられる。また、図１に示す形態例では、躯体の表面形状が、折れ板状に加工された形状であるが、これに限定されるものではなく、躯体の形状としては、平板状の形状、折れ板状の形状等が挙げられる。
【００３９】
防水層は、断熱層と防水シートにより構成されている。
【００４０】
断熱層の材質としては、通常、建物の断熱に用いられる断熱材であれば、特に制限されず、発泡ポリスチレン、ポリウレタンフォーム、ポリイソシアヌレートフォーム、フェノールフォーム等が挙げられる。本発明の防水構造体においては、断熱層としては、特に制限されず、躯体と防水シートとの間に配置されて、断熱機能を発揮するものであればよい。断熱層は、上記のような断熱材のみで形成されていてもよいし、他には、例えば、上記のような断熱材上に（上記断熱材と固定板との間に）、例えば、ポリエチレン製の織布からなる絶縁クロスシート、ガラス繊維製の防火用シート、ピンホール検査用のアルミ箔ラミネートシート等や、人の歩行を可能にする目的で、歩行用ボードとして、珪酸カルシウム板、石綿スレート板、軽量気泡コンクリート板等の高剛性板が敷かれているものであってもよく、この場合は、上記断熱材及びその上に敷かれている絶縁クロスシート、防火用シート、アルミ箔ラミネートシート、高剛性板等が、断熱層である。
【００４１】
防水シートの材質は、防水性と耐候性を有し、通常、建物の防水シートとして用いられるものであれば、特に制限されず、ポリ塩化ビニル樹脂、ポリオレフィン系樹脂、エチレン酢酸ビニル共重合体等の軟質の合成樹脂、合成ゴム系の材質等が挙げられる。これらのうち、防水シートの材質としては、ポリ塩化ビニル樹脂が、溶剤溶着性や熱融着性に優れる点で、好ましい。防水シートの厚みは、特に制限されず、必要に応じて適宜選択される。
【００４２】
本発明の防水構造体に係る固定具は、固定ビスと、固定板と、からなる。固定具は、固定ビスが固定板の挿通孔に挿通され、固定ビスが断熱層を貫通し躯体に捻じり込み固定されることにより、断熱層を固定する部材であり、且つ、固定板の防水シート側の面が防水シートに接合することにより、防水シートを固定する部材でもある。
【００４３】
固定ビスは、固定板の挿通孔に挿通されており、断熱層を貫通し躯体に捻じ込み固定されている。
【００４４】
固定ビスは、固定ビスの先端部を、金属板やコンクリー等の躯体に打ち込むことにより、躯体に孔を空け、固定ビスを回転させることにより、側面のネジ山で躯体に開けられた孔にネジ山を切ることができるような構造を有している。
【００４５】
固定ビスの材質としては、特に制限されず、鉄、ステンレス鋼などの金属等が挙げられる。
【００４６】
固定ビスのビス頭には、固定ビスを回転させるための工具が係合する溝、例えば、図２に示す形態例では、十字形状の溝１４が、形成されている。ビス頭に形成されている溝の形状は、固定ビスを回転させるための工具を係合させることができる形状であれば、特に制限されない。
【００４７】
固定板は、固定ビスが挿通される挿通孔を有している。固定板の挿通孔の内周面には、固定ビスのビス頭が嵌合する座繰り部が形成されている。固定板に形成されている座繰り部の形状は、固定ビスのビス頭が嵌合する形状であればよく、ビス頭の形状に合わせて適宜選択される。
【００４８】
固定板の材質としては、特に制限されないが、例えば、鉄、ステンレス鋼などの金属、熱硬化性樹脂、熱可塑性樹脂などの合成樹脂等が挙げられる。
【００４９】
固定板が、表面が合成樹脂で被覆されている鋼板等の金属板の場合、固定板に被覆されている合成樹脂としては、ポリ塩化ビニル樹脂、ポリオレフィン系樹脂、エチレン酢酸ビニル共重合体等の軟質の合成樹脂、合成ゴム系の材質等が挙げられる。これらのうち、固定板に被覆されている合成樹脂としては、ポリ塩化ビニル樹脂が、溶剤溶着性や熱融着性に優れる点で、好ましい。固定板の厚みは、特に制限されず、必要に応じて適宜選択される。
【００５０】
固定板が、表面に合成樹脂が被覆されている金属板の場合、例えば、合成樹脂被覆鋼板をプレス加工することにより、表面に合成樹脂が被覆されている金属板製の固定板を作製することができる。また、固定板が、合成樹脂板の場合、例えば、射出成形等の適宜の樹脂加工方法により、合成樹脂製の固定板を作製することができる。
【００５１】
固定板は、断熱層と防水シートとの間に配置される。固定板の防水シート側の面は、防水シートに接合されている。固定板の防水シート側の面と防水シートとの接合形態は、強風に曝されても防水シートが固定板の防水シート側の面から剥がれない形態であれば、特に制限されず、例えば、防水シートに覆われた状態で、防水シートの上から、固定板の防水シート側の面に被覆されている樹脂を加熱することにより、固定板の防水シート側の面に被覆されている樹脂で融着された形態、防水シートを固定板の防水シート側の面に載置するときに、固定板の防水シート側の面に被覆されている樹脂に溶剤を塗布することにより、固定板の防水シート側の面に被覆されている樹脂で溶着された形態、防水シートを固定板の防水シート側の面に載置するときに、固定板の防水シート側の面に接着剤を塗布することにより、接着剤で接着された形態等が挙げられる。
【００５２】
本発明の防水構造体には、固定板が断熱層上で横揺れするのを防止する横揺れ防止措置が施されている。
【００５３】
本発明の第一の形態の防水構造体（以下、防水構造体（１）とも記載する。）は、固定板の断熱層側の面に食い込み部を設け、断熱層に食い込み部を食い込ませることにより、横揺れ防止措置が施されている防水構造体である。
【００５４】
防水構造体（１）に係る固定板には、断熱層側に、断熱層に食い込む食い込み部が設けられている。
【００５５】
防水構造体（１）に係る固定板としては、例えば、図３に示す形態例の固定板５ａが挙げられる。
【００５６】
また、防水構造体（１）に係る固定板としては、図９に示す形態例の固定板５ｂが挙げられる。固定板５ｂは、固定ビス１の挿通孔６ｂを有している。この挿通孔６ｂの内周面には、固定ビス１のビス頭３が嵌合する座繰り部７ｂが形成されている。座繰り部７ｂの平面形状は、円形であり、座繰り部７ｂの形状は、ビス頭３の形状に対応する形状である。また、固定板５ｂの断熱層２２側には、断熱層２２に食い込むことにより、固定板５ｂの横揺れを防止する食い込み部８ｂが設けられている。固定板５ｂでは、下側から見たときの形状が円弧の一部の形状である板状の食い込み部８ｂが４つ、断熱層２２の上面（図９（Ｂ）中、符号１５で示す点線の位置）から、断熱層２２の内部に入り込むように、断熱層側に設けられている。
【００５７】
また、防水構造体（１）に係る固定板としては、図１０に示す形態例の固定板５ｃが挙げられる。固定板５ｃは、固定ビス１の挿通孔６ｃを有している。この挿通孔６ｃの内周面には、固定ビス１のビス頭３が嵌合する座繰り部７ｃが形成されている。座繰り部７ｃの平面形状は、円形であり、座繰り部７ｃの形状は、ビス頭３の形状に対応する形状である。また、固定板５ｃの断熱層２２側には、断熱層２２に食い込むことにより、固定板５ｃの横揺れを防止する食い込み部８ｃが設けられている。固定板５ｃでは、横側から見たときの形状が逆三角形である板状の食い込み部８ｃが４つ、断熱層２２の上面（図１０（Ｂ）中、符号１５で示す点線の位置）から、断熱層２２の内部に入り込むように、断熱層側に設けられている。
【００５８】
また、防水構造体（１）に係る固定板としては、図１１に示す形態例の固定板５ｄが挙げられる。固定板５ｄは、固定ビス１の挿通孔６ｄを有している。この挿通孔６ｄの内周面には、固定ビス１のビス頭３が嵌合する座繰り部７ｄが形成されている。座繰り部７ｄの平面形状は、円形であり、座繰り部７ｄの形状は、ビス頭３の形状に対応する形状である。また、固定板５ｄの断熱層２２側には、断熱層２２に食い込むことにより、固定板５ｄの横揺れを防止する食い込み部８ｄが設けられている。固定板５ｄでは、下側の面全体が、下側に向けて出っ張っており、この出っ張った下側の部分全体が食い込み部である。つまり、固定板５ｄには、断熱層２２の上面（図１１（Ｂ）中、符号１５で示す点線の位置）から、断熱層２２の内部にめり込むことができるように、下側に向けて出っ張った食い込み部８ｄが設けられている。
【００５９】
また、防水構造体（１）に係る固定板としては、図１２に示す形態例の固定板５ｅが挙げられる。固定板５ｅは、固定ビス１の挿通孔６ｅを有している。この挿通孔６ｅの内周面には、固定ビス１のビス頭３が嵌合する座繰り部７ｅが形成されている。座繰り部７ｅの平面形状は、円形であり、座繰り部７ｅの形状は、ビス頭３の形状に対応する形状である。また、固定板５ｅの断熱層２２側には、断熱層２２に食い込むことにより、固定板５ｅの横揺れを防止する食い込み部８ｅが設けられている。固定板５ｅでは、下側から見たときの形状が円形である板状の食い込み部８ｅが、断熱層２２の上面（図１２（Ｂ）中、符号１５で示す点線の位置）から、断熱層２２の内部に入り込むように、断熱層側に設けられている。
【００６０】
防水構造体（１）に係る固定板に設けられている食い込み部の形状は、特に制限されず、断熱層に食い込むこと、すなわち、断熱層の上面から断熱層の内部に入り込むことにより、固定板の横揺れを防止することができる形状であればよい。
【００６１】
防水構造体（１）に係る固定板において、食い込み部が設けられる平面方向の位置は、図２及び図９に示す形態例では、固定板を下側から見たときに、固定板の外縁又はその近傍であり、また、図１０及び図１２に示す形態例では、固定板を下側から見たときに、固定板の外縁より中心側に寄った位置であり、また、図１１に示す形態例では、固定板を下側から見たときに、固体板の全体であるが、これらに限定されず、断熱層に食い込むこと、すなわち、断熱層の上面から断熱層の内部に入り込むことにより、固定板の横揺れを防止することができる位置であればよい。
【００６２】
防水構造体（１）に係る固定板において、食い込み部が設けられる平面方向の位置について、図１３を用いて説明する。図１３に示す固定板５ｅにおいて、固定ビスの軸心の位置（固定板５ｅの中心の位置でもある。）を符号３３で示し、固定ビスの外縁（固定板５ｅの挿通孔６ｅの内周でもある。）を符号３０で示し、食い込み部８ｅの設置位置を符号３２で示し、固定板５ｅの外縁の位置を符号２９で示している。なお、図１３では、固定ビスの外縁３０と挿通孔６ｅの内周面の位置とは重なっているので、説明の都合上、挿通孔６ｅの内周の記載を省略する。また、半径方向の食い込み部８ｅの中点を、食い込み部５ｅの設置位置３２とする。防水構造体（１）に係る固定板において、固定ビスの半径３４に対する固定板の中心３３から食い込み部の設置位置３２までの長さ３５の比（符号３５の長さ／符号３４の長さ）は、好ましくは１．５以上、特に好ましくは３以上、更に好ましくは５以上である。また、防水構造体（１）において、固定板の中心３３から外縁２９までの長さ２８に対する固定板の中心３３から食い込み部の設置位置３２のまでの長さ３５の比（符号３５の長さ／符号２８の長さ）は、好ましくは０．１５〜１、特に好ましくは０．３〜１、更に好ましくは０．５〜１である。防水構造体（１）に係る固定板において、固定ビスの半径３４に対する固定板の中心３３から食い込み部の設置位置３２までの長さ３５の比（符号３５の長さ／符号３４の長さ）、又は固定板の中心３３から外縁２９までの長さ２８に対する固定板の中心３３から食い込み部の設置位置３２のまでの長さ３５の比（符号３５の長さ／符号２８の長さ）が、上記範囲にあることにより、固定板の横揺れを防水する効果が高くなる。
【００６３】
防水構造体（１）に係る固定板において、食い込み部としては、固定板の断熱層側の面に付与される１ｍｍ以下の凹凸又は突起から、例えば、図１９に示す形態例のように、断熱層の厚さと同程度の長さのものまである。防水構造体（１）に係る固定板において、食い込み部の長さは、特に制限されないが、食い込み部の長さは、好ましくは断熱層厚さの１０％以上、特に好ましくは断熱層厚さの５０％以上、更に好ましくは断熱層厚さと同値である。なお、防水構造体（１）に係る固定板において、食い込み部の長さとは、断熱層内に食い込む食い込み部の縦方向の長さであり、断熱層の上面の位置から食い込み部の先端までの長さであり、図３に示す形態例では、符号１３で示す長さである。
【００６４】
図１９に示す形態例の固定板５ｊは、食い込み部の長さが異なること以外は、図３に示す固定板５ａと同様である。つまり、固定板５ｊは、固定ビス１の挿通孔を有している。この固定板５ｊの挿通孔の内周面には、固定ビス１のビス頭が嵌合する座繰り部が形成されている。固定板５ｊに形成されている座繰り部の平面形状は、円形であり、固定板５ｊに形成されている座繰り部の形状は、固定ビス１のビス頭に対応する形状である。固定板５ｊの断熱層２２側には、長さが断熱層２２の厚みと同じ長さである食い込み部８ｊが設けられている。食い込み部８ｊは、下側から見たときの形状が円形である板状の食い込み部である。なお、図１９では、説明の都合上、防水シートの記載を省略したが、実際は、固定板５ｊの防水シート側の面は、防水シートに接合されている。
【００６５】
そして、防水構造体が、固定板５ｊのような、断熱層の厚みと同じ長さの食い込み部が設けられている固定板を有する場合、固定板の食い込み部の下端は、躯体の表面に当接している。例えば、図１９に示す形態例では、食い込み部８ｊの下端８１が、躯体２１の表面に当接している。固定板の食い込み部の下端が、躯体の表面に当接していることにより、食い込み部が躯体に接している点も支点となるので、多点支点、線状に支点を確保でき、固定ビスによる固定部の１点支点に比べ、横揺れ力の作用を発生し難くできる。
【００６６】
また、食い込み部の長さが断熱層と同程度である食い込み部が設けられている固定板の形態例としては、例えば、図９に示す固定板５ｂの食い込み部８ｂの長さが、断熱層の厚みと同じ長さである形態例が挙げられる。そのような形態例の固定板（以下、固定板５ｋとも記載する。）は、食い込み部の長さが異なること以外は、図９に示す固定板５ｂと同様である。つまり、固定板５ｋは、固定ビス１の挿通孔を有している。この固定板の挿通孔の内周面には、固定ビス１のビス頭が嵌合する座繰り部が形成されている。固定板５ｋに形成されている座繰り部の平面形状は、円形であり、固定板５ｋに形成されている座繰り部の形状は、固定ビス１のビス頭に対応する形状である。そして、固定板５ｋの断熱層側には、長さが断熱層の厚さと同じ長さである食い込み部（以下、食い込み部８ｋとも記載する。）が設けられている。食い込み部８ｋは、下側から見たときの形状が円弧の一部の形状である板状の食い込み部である。
【００６７】
本発明の第二の形態の防水構造体（以下、防水構造体（２）とも記載する。）は、固定板の断熱層側の面と断熱層とを接着することにより、横揺れ防止措置が施されている防水構造体である。
【００６８】
防水構造体（２）の形態例の構築方法を説明する。先ず、図２に示す固定ビス１及び図１４に示す固定板５ｆを用意する。固定板５ｆは、固定ビス１の挿通孔６ｆを有している。この挿通孔６ｆの内周面には、固定ビス１のビス頭３が嵌合する座繰り部７ｆが形成されている。座繰り部７ｆの平面形状は、円形であり、座繰り部７ｆの形状は、ビス頭３の形状に対応する形状である。固定板５ｆには、食い込み部は設けられていない。
【００６９】
次いで、図１５（Ａ）に示すように、躯体２１の表面に、断熱層２２を載置する。次いで、図１５（Ｂ）に示すように、接着剤により固定板５ｆと断熱層２２とを接着させる等の方法により、固定板５ｆの設置箇所の断熱層２２に、固定板５ｆを接着させる。次いで、図１５（Ｃ）に示すように、固定板５ｆの挿通孔６ｆより、固定ビス１を断熱層２２に捻じ込み、断熱層２２を貫通させ、更に、躯体２１に捻じ込む。次いで、図８と同様に、断熱層２２及び固定具１１ｆを覆うように、防水シートを載置する。次いで、固定板５ｆの防水シート側の面１２と防水シート２３とを接合させることにより、防水構造体（２）を構築する。
【００７０】
防水構造体（２）において、固定板と断熱層とを接着させる接着形態及び接着方法は、特に制限されず、固定板の横揺れを防止することができる接着形態及び接着方法が適宜選択される。
【００７１】
本発明の第三の形態の防水構造体（以下、防水構造体（３）とも記載する。）は、固定板の断熱層側の面と断熱層との摩擦力を高めることにより、横揺れ防止措置が施されている防水構造体である。
【００７２】
防水構造体（３）において、固定板の断熱層側の面と断熱層との摩擦力を高める方法としては、固定板の断熱層側の面に断熱層と固定板との摩擦力が高くなるような微小凹凸又は微小突起を設ける方法、固定板の断熱層側の面に断熱層と固定板との摩擦力を高める部材を固定する方法等が挙げられる。
【００７３】
なお、防水構造体（３）において、固定板の断熱層側の面と断熱層との摩擦力を高めるとは、固定板の断熱層側の面と断熱層との摩擦力を高める横揺れ防止措置が施されていないこと以外は同じ組み合わせの固定板と断熱層における摩擦力に比べ、固定板の横揺れを防止することができる程度に、摩擦力が高くなっていることを指す。
【００７４】
本発明の第四の形態の防水構造体（以下、防水構造体（４）とも記載する。）は、固定板の形状と対応する形状であり、固定板を嵌め込むための固定板嵌め込み孔を断熱層に設け、固定板嵌め込み孔に、固定板を嵌め込むことにより、横揺れ防止措置が施されている防水構造体である。
【００７５】
防水構造体（４）の形態例の構築方法を説明する。先ず、図２に示す固定ビス１及び図１４に示す固定板５ｆを用意する。
【００７６】
次いで、図１６（Ａ）に示すように、躯体２１の表面に断熱層２２を載置し、固定板５ｆの設置箇所の断熱層２２に、固定板５ｆが嵌り込む固定板嵌め込み孔３８を形成させる。次いで、図１６（Ｂ）に示すように、固定板５ｆの挿通孔６ｆに固定ビス１を挿通させた状態で、固定ビス１を断熱層２２に捻じ込み、断熱層２２を貫通させ、更に、躯体２１に捻じ込む。このとき、固定板５ｆは、固定板嵌め込み孔３８に嵌め込まれる。次いで、図８と同様に、断熱層２２及び固定具１１ｆを覆うように、防水シートを載置する。次いで、固定板５ｆの防水シート側の面１２と防水シート２３とを接着させることにより、防水構造体（４）を構築する。
【００７７】
防水構造体（４）において、固定板の形状に対応する形状とは、鋳物とその鋳物を鋳造するための鋳型のように固定板に対応する形状を指す。また、防水構造体（４）において、固定板嵌め込み孔に、固定板が嵌め込まれている状態とは、固定板の下側又は全体が、断熱層の内部に入り込んでいる状態を指す。
【００７８】
本発明の防水構造体において、固定板の横揺れ防止措置を施す手段は、上記の形態に限定されるのではなく、固定板の横揺れを防止することができる手段であればよい。他には、例えば、先ず、図２に示す固定ビス１、図１７に示す固定板５ｈ、及び図１８に示す横揺れ防止ビス３９を用意する。固定板５ｈは、固定ビス１の挿通孔６ｈを有している。この挿通孔６ｈの内周面には、固定ビス１のビス頭３が嵌合する座繰り部７ｈが形成されている。座繰り部７ｈの平面形状は、円形であり、座繰り部７ｈの形状は、ビス頭３の形状に対応する形状である。また、固定板５ｈは、横揺れ防止ビス３９が挿通される横揺れ防止ビス挿通孔３６を有している、横揺れ防止ビス挿通孔３６の内周面には、横揺れ防止ビス３９のビス頭が嵌合する横揺れ防止ビス用座繰り部３７が形成されている。横揺れ防止ビス３９は、平面形状が円形のビス頭と、側面にネジ山が形成されている軸と、断熱層に孔を空けることができる先端部と、を有している。
【００７９】
そして、図１８に示すように、固定板５ｈの挿通孔６ｈより、固定ビス１を断熱層２２に捻じ込み、断熱層２２を貫通させ、更に、躯体２１に捻じ込む。次いで、横揺れ防止ビス３９を、横揺れ防止ビス挿通孔３６に挿通させ、断熱層２２に捻じ込むことにより、固定板の横揺れを防止する措置を施すことができる。
【００８０】
本発明の固定具は、本発明の防水構造体に用いられる固定具であり、固定ビスと、該固定ビスが挿通される固定板と、からなり、該固定板の断熱層側の面に、断熱層に食い込む食い込み部が設けられていることを特徴とする固定具である。
【００８１】
本発明の固定具に係る固定ビス、固定板は、本発明の防水構造体に係る固定ビス、固定板と同様である。
【符号の説明】
【００８２】
１          固定ビス
２          軸
３          ビス頭
４          先端部
５ａ、５ｂ、５ｃ、５ｄ、５ｅ、５ｆ、５ｈ、５ｊ  固定板
６ａ、６ｂ、６ｃ、６ｄ、６ｅ、６ｆ、６ｈ  挿通孔
７ａ、７ｂ、７ｃ、７ｄ、７ｅ、７ｆ、７ｈ  座繰り部
８ａ、８ｂ、８ｃ、８ｄ、８ｅ、８ｊ  食い込み部
１０        防水構造体
１１ａ、１１ｆ  固定具
１２        固定板の防水シート側の面
１３        食い込み部の長さ
１４        溝
１５        断熱層の上面
２１        躯体
２２        断熱層
２３        防水シート
２４        防水層
２８        固定板の中心から固定板の外縁までの長さ
２９        固定板の外縁
３０        固定ビスの外縁
３２        食い込み部の設置位置
３３        固定ビスの軸心（固定板の中心）
３４        固定ビスの半径
３５        固定板の中心から食い込み部の設置位置までの長さ
３６        横揺れ防止ビスの挿通孔
３７        横揺れ防止ビス用座繰り
３８        固定板嵌め込み孔
３９        横揺れ防止ビス
【産業上の利用可能性】
【００８３】
本発明によれば、強風に曝されても、防水層を固定するための固定ビスが抜け難い防水構造体を、躯体に施工することができる。
【図１】
0005747323.tif 000002
【図２】
0005747323.tif 000003
【図３】
0005747323.tif 000004
【図４】
0005747323.tif 000005
【図５】
0005747323.tif 000006
【図６】
0005747323.tif 000007
【図７】
0005747323.tif 000008
【図８】
0005747323.tif 000009
【図９】
0005747323.tif 000010
【図１０】
0005747323.tif 000011
【図１１】
0005747323.tif 000012
【図１２】
0005747323.tif 000013
【図１３】
0005747323.tif 000014
【図１４】
0005747323.tif 000015
【図１５】
0005747323.tif 000016
【図１６】
0005747323.tif 000017
【図１７】
0005747323.tif 000018
【図１８】
0005747323.tif 000019
【図１９】
0005747323.tif 000020
【図２０】
0005747323.tif 000021
【図２１】
0005747323.tif 000022
【図２２】
0005747323.tif 000023
【図２３】
0005747323.tif 000024
【図２４】
0005747323.tif 000025